(57)【特許請求の範囲】
【請求項１】
複数のクライアント信号をそれぞれ受信する複数のクライアント信号受信手段、該複数のクライアント信号受信手段が受信した各クライアント信号をそれぞれODU信号にマッピングし続いて該ODU信号をODTU信号にマッピングする複数の収容手段、該複数の収容手段がマッピングした各ODTU信号を多重してODU信号を生成する多重手段、該多重手段が生成したODU信号からOTU信号を生成する第１のフレーマ手段、および該第１のフレーマ手段が生成したOTU信号からOTN信号を生成して伝送路に送出するOTN信号送信手段からなる送信側OTN装置と、
前記伝送路から前記OTN信号を受信するOTN信号受信手段、該OTN信号受信手段が受信したOTN信号を終端しODU信号を生成する第２のフレーマ手段、該第２のフレーマ手段が生成したODU信号を複数のODTU信号に分離する分離手段、該分離手段が分離した複数のODTU信号からそれぞれODU信号をデマッピングし続いて該ODU信号からクライアント信号をデマッピングする複数の復元手段、および該複数の復元手段がデマッピングした複数のクライアント信号をそれぞれ送出する複数のクライアント信号送信手段からなる受信側OTN装置と、
を有するクライアント信号収容多重装置であって、
前記受信側OTN装置は、PLL(Phase Locked Loop)手段と、前記複数の復元手段のうちの１つの復元手段Ａ以外の復元手段のそれぞれの直後に接続されたアイドル挿抜手段とを備え、
前記PLL手段は、前記復元手段Ａが入力したODTU信号のクロックとデマッピングしたODU信号のクロックと該ODTU信号に付与されたマッピング情報をもとにしてクライアント信号のクロックを再生し、当該クロックを前記復元手段Ａと前記アイドル挿抜手段のすべてに分配し、
前記アイドル挿抜手段は、前記クロックをもとにして、入力したクライアント信号にアイドル信号を挿入あるいは該クライアント信号からアイドル信号を抜去することにより、前記複数のクライアント信号をすべて同期させる
ことを特徴とするクライアント信号収容多重装置。
【請求項２】
複数のクライアント信号をそれぞれ受信する複数のクライアント信号受信手段、該複数のクライアント信号受信手段が受信した各クライアント信号をそれぞれODU信号にマッピングし続いて該ODU信号をODTU信号にマッピングする複数の収容手段、該複数の収容手段がマッピングした各ODTU信号を多重してODU信号を生成する多重手段、該多重手段が生成したODU信号からOTU信号を生成する第１のフレーマ手段、および該第１のフレーマ手段が生成したOTU信号からOTN信号を生成して伝送路に送出するOTN信号送信手段からなる送信側OTN装置と、
前記伝送路から前記OTN信号を受信するOTN信号受信手段、該OTN信号受信手段が受信したOTN信号を終端しODU信号を生成する第２のフレーマ手段、該第２のフレーマ手段が生成したODU信号を複数のODTU信号に分離する分離手段、該分離手段が分離した複数のODTU信号からそれぞれODU信号をデマッピングし続いて該ODU信号からクライアント信号をデマッピングする複数の復元手段、および該複数の復元手段がデマッピングした複数のクライアント信号をそれぞれ送出する複数のクライアント信号送信手段からなる受信側OTN装置と、
を有する装置におけるクライアント信号収容多重方法であって、
前記受信側OTN装置は、PLL(Phase Locked Loop)手段と、前記複数の復元手段のうちの１つの復元手段Ａ以外の復元手段のそれぞれの直後に接続されたアイドル挿抜手段とを備え、
前記PLL手段が、前記復元手段Ａが入力したODTU信号のクロックとデマッピングしたODU信号のクロックと該ODTU信号に付与されたマッピング情報をもとにしてクライアント信号のクロックを再生し、当該クロックを前記復元手段Ａと前記アイドル挿抜手段のすべてに分配し、
前記アイドル挿抜手段が、前記クロックをもとにして、入力したクライアント信号にアイドル信号を挿入あるいは該クライアント信号からアイドル信号を抜去することにより、前記複数のクライアント信号をすべて同期させる
ことを特徴とするクライアント信号収容多重方法。
【発明の詳細な説明】
【技術分野】
【０００１】
本発明は、クライアント信号収容多重装置及び方法に係り、特に、イーサネット（登録商標）を含め多様なクライアント信号を信頼性高く高域転送するためのクライアント信号収容多重装置及び方法に関する。
【背景技術】
【０００２】
インターネットトラフィックの急増とともにイーサネット（登録商標）の利用が広がっている。IEEEで国際標準化されているイーサネット（登録商標）は当初の10Mから100M、1G、10Gへと通信速度を増してきている。イーサネット（登録商標）は伝送距離が最大でも４０kmであり、そのままでは長距離伝送することができない。イーサネット（登録商標）をはじめとした多様なクライアント信号を信頼性高く広域転送する国際標準化技術としてITU-Tで規定されるOTN（Optical Transport Network）がある（例えば非特許文献１参照）。イーサネット（登録商標）をOTNに収容することで４０kmを超える長距離伝送をすることが可能となる。
【０００３】
図６に複数のクライアント信号をOTNに多重する際の従来技術のブロック図を示す。同図に示すクライアント信号収容多重装置は、OTN送信側（同図上部）とOTN受信側（同図下部）があり、OTN送信側は、複数のクライアント信号受信部１１、各クライアント受信部１１にそれぞれ接続される収容部１２、多重部１３、フレーマ部１４、ＯＴＮ信号送信部１５から構成され、OTN受信側は、ＯＴＮ信号受信部１６、フレーマ部１７、分離部１８、複数の復元部２０、各復元部２０にそれぞれ接続されるPLL(Phase Locked Loop)部１９、該復元部２０にそれぞれ接続されるクライアント信号送信部２１から構成される。
【０００４】
イーサネット（登録商標）などのクライアント信号はクライアント信号受信部１１にてO/E変換された後に、収容部１２でクライアント信号が各々のクライアント信号に適したODUにマッピングされ、さらにODUがODTUにマッピングされる。クライアント信号のODUへのマッピングとしてはBMP（Bit-synchronous Mapping Procedure）やAMP（Asynchronous Mapping Procedure）やGMP（Generic Mapping Procedure）などが使用される。またODUのODTUへのマッピングとしてはAMPやGMPなどが使用される。多重部１３では複数のODTUを多重して上位のODUとなり、フレーマ部１４でオーバーヘッド処理や誤り訂正符号の付加をしてOTU信号となる。最終的にOTN信号送信部１５で光伝送信号が生成され伝送されることとなる。OTN信号の受信側では、OTN信号受信部１６で受信した信号をO/E変換してOTU信号を得る。フレーマ部１７ではOTU信号のオーバーヘッド処理や誤り訂正符号の復号を行ない、ODU信号を分離部１８に送出する。続いて分離部１８ではODU信号を複数のODTU信号に分離する。分離されたODTU信号は復元部２０でデマッピングされてODU信号に、さらにODU信号からクライアント信号にデマッピングされる。クライアント信号送信部２１ではクライアント信号をE/O変換して送出する。
【０００５】
近年、イーサネット（登録商標）の普及に伴いOTN規格が大きく拡張されイーサネット（登録商標）転送を重視したものになった（例えば、非特許文献２参照）。具体的には新しいODU（Optical Channel Data Unit）としてGbEを収容するODU0や10GbEを収容するODU2eが規定された。これらのODUを上位のODU（例えばODU3やODU4）に多重することで、イーサネット（登録商標）の経済的な広域転送が可能となる。
【先行技術文献】
【非特許文献】
【０００６】
【非特許文献１】"Interfaces for the Optical Transport Network (OTN)", ITU-T Recommendation G.709/Y.1331 (03/2003).
【非特許文献２】"Interfaces for the Optical Transport Network (OTN)", ITU-T Recommendation G.709/Y.1331 Amendment 3 (04/2009)。
【発明の概要】
【発明が解決しようとする課題】
【０００７】
しかしながら、上記従来の技術において、OTNに多数のイーサネット（登録商標）などのクライアント信号を収容し、多重して転送しようとした場合に装置規模が大きくなるという課題がある。例えば、10GbEをODU2eに収容しODU4に多重して転送しようとする場合、ODU2eをODU4に最大で１０多重することができる。また、GbEをODU0に収容しODU4に多重して転送しようとする場合、ODU0をODU4に最大で８０多重することができる。このように多数のクライアント信号を多重するためには多重数分の各機能ブロックが必要となる。
【０００８】
ここで、上記の従来技術における図６の受信側のクロック再生に着目すると、仮に同じ種類のクライアント信号が多重されて伝送される場合であっても、個々のクライアント信号のクロックは独立であるので各復元部２０に隣接してクロック再生を行なうPLL部１９を設ける必要がある。GbE（ODU0）を８０多重する場合には８０個のPLL部、10GbE（ODU2e）を１０多重する場合には１０個のPLL部を設ける必要があり、回路規模が大きなものとなる。
【０００９】
本発明は、上記の点に鑑みなされたもので、イーサネット（登録商標）などのクライアント信号を多重して転送するOTN装置において回路規模の削減することが可能なクライアント信号収容多重装置及び方法を提供することを目的とする。
【課題を解決するための手段】
【００１０】
図１は、本発明の原理構成図である。
【００１１】
本発明（請求項１）は、複数のクライアント信号をそれぞれ受信する複数のクライアント信号受信手段、該複数のクライアント信号受信手段が受信した各クライアント信号をそれぞれODU信号にマッピングし続いて該ODU信号をODTU信号にマッピングする複数の収容手段、該複数の収容手段がマッピングした各ODTU信号を多重してODU信号を生成する多重手段、該多重手段が生成したODU信号からOTU信号を生成する第１のフレーマ手段、および該第１のフレーマ手段が生成したOTU信号からOTN信号を生成して伝送路に送出するOTN信号送信手段からなる送信側OTN装置と、
伝送路からOTN信号を受信するOTN信号受信手段、該OTN信号受信手段が受信したOTN信号を終端しODU信号を生成する第２のフレーマ手段、該第２のフレーマ手段が生成したODU信号を複数のODTU信号に分離する分離手段、該分離手段が分離した複数のODTU信号からそれぞれODU信号をデマッピングし続いて該ODU信号からクライアント信号をデマッピングする複数の復元手段、および該複数の復元手段がデマッピングした複数のクライアント信号をそれぞれ送出する複数のクライアント信号送信手段からなる受信側OTN装置と、
を有するクライアント信号収容多重装置であって、
受信側OTN装置は、PLL(Phase Locked Loop)手段と、複数の復元手段のうちの１つの復元手段Ａ以外の復元手段のそれぞれの直後に接続されたアイドル挿抜手段とを備え、
PLL手段は、復元手段Ａが入力したODTU信号のクロックとデマッピングしたODU信号のクロックと該ODTU信号に付与されたマッピング情報をもとにしてクライアント信号のクロックを再生し、当該クロックを復元手段Ａとアイドル挿抜手段のすべてに分配し、
アイドル挿抜手段は、クロックをもとにして、入力したクライアント信号にアイドル信号を挿入あるいは該クライアント信号からアイドル信号を抜去することにより、複数のクライアント信号をすべて同期させることを特徴とする。
【００１２】
本発明（請求項２）は、複数のクライアント信号をそれぞれ受信する複数のクライアント信号受信手段、該複数のクライアント信号受信手段が受信した各クライアント信号をそれぞれODU信号にマッピングし続いて該ODU信号をODTU信号にマッピングする複数の収容手段、該複数の収容手段がマッピングした各ODTU信号を多重してODU信号を生成する多重手段、該多重手段が生成したODU信号からOTU信号を生成する第１のフレーマ手段、および該第１のフレーマ手段が生成したOTU信号からOTN信号を生成して伝送路に送出するOTN信号送信手段からなる送信側OTN装置と、
伝送路からOTN信号を受信するOTN信号受信手段、該OTN信号受信手段が受信したOTN信号を終端しODU信号を生成する第２のフレーマ手段、該第２のフレーマ手段が生成したODU信号を複数のODTU信号に分離する分離手段、該分離手段が分離した複数のODTU信号からそれぞれODU信号をデマッピングし続いて該ODU信号からクライアント信号をデマッピングする複数の復元手段、および該複数の復元手段がデマッピングした複数のクライアント信号をそれぞれ送出する複数のクライアント信号送信手段からなる受信側OTN装置と、
を有する装置におけるクライアント信号収容多重方法であって、
受信側OTN装置は、PLL(Phase Locked Loop)手段と、複数の復元手段のうちの１つの復元手段Ａ以外の復元手段のそれぞれの直後に接続されたアイドル挿抜手段とを備え、
PLL手段が、復元手段Ａが入力したODTU信号のクロックとデマッピングしたODU信号のクロックと該ODTU信号に付与されたマッピング情報をもとにしてクライアント信号のクロックを再生し、当該クロックを復元手段Ａとアイドル挿抜手段のすべてに分配し、
アイドル挿抜手段が、クロックをもとにして、入力したクライアント信号にアイドル信号を挿入あるいは該クライアント信号からアイドル信号を抜去することにより、複数のクライアント信号をすべて同期させることを特徴とする。
【発明の効果】
【００１３】
上記のように本発明によれば、イーサネット（登録商標）などのクライアント信号のアイドル信号を挿入あるいは抜去して複数のクライアント信号間のクロックを同期させることでPLLを共用し装置規模の増大を抑えることが可能となる。
【００１４】
イーサネット（登録商標）などのクライアント信号はビットレートが規定されている。例えば、GbEは1.25 Gb/s ± 100 ppm、10GbEでは10.3125 Gb/s ± 100 ppmである。しかし、個々のクライアント装置からOTN装置に送られてくる信号のクロックは同じ種類のクライアント信号であってもクロックが独立であり、上記のビットレート規定の範囲内で異なった物となるのが通例である。また同じ装置からのクライアント信号であっても時々刻々とそのビットレートが変動する。このようなクライアント信号に対してアイドル信号を挿入あるいは抜去することによって複数のクライアント信号のクロックを同期させてPLLを共用することが可能となる。
【図面の簡単な説明】
【００１５】
【図１】本発明の原理構成図である。
【図２】本発明の第１の実施の形態におけるクライアント信号収容多重装置の構成図である。
【図３】本発明の第２の実施の形態におけるクライアント信号収容多重装置の構成図である。
【図４】本発明の第３の実施の形態におけるクライアント信号収容多重装置の構成図である。
【図５】本発明の第４の実施の形態におけるクライアント信号収容多重装置の構成図である。
【図６】従来のクライアント信号収容多重装置の構成図である。
【発明を実施するための形態】
【００１６】
以下、図面と共に本発明の実施の形態を説明する。
【００１７】
［第１の実施の形態］
図２は、本発明の第１の実施の形態におけるクライアント信号収容多重装置の構成を示す。同図において、網掛けされているエリア毎に１つのクロックドメイン（基準発振器をもとにしてそのエリアが動作していること）を示している。
【００１８】
同図に示すクライアント信号収容多重装置は、ＯＴＮ送信側（同図上部）とＯＴＮ受信側（同図下部）から構成され、ＯＴＮ送信側は、クライアント信号受信部１０１、アイドル挿抜部１０２、収容部１０３、多重部１０４、フレーマ部１０５、ＯＴＮ信号送信部１０６からなり、OTN受信側は、ＯＴＮ信号受信部１０７、フレーマ部１０８、分離部１０９、ＰＬＬ部１１０、復元部１１１、クライアント信号送信部１１４からなる。
【００１９】
クライアント信号受信部１０１１〜１０１３は、クライアント信号を受信しO/E変換する。図２の構成において、クライアント信号受信部１０１１は、第１のクライアント信号を受信し、クライアント信号受信部１０１２は、第２のクライアント信号を受信し、クライアント信号受信部１０１３は、第３のクライアント信号を受信するものとする。このうち、クライアント信号受信部１０１１はクロックを再生し、アイドル挿抜部１０２１、１０２２に出力する。
【００２０】
アイドル挿抜部１０２１、１０２２では、クライアント信号受信部１０１１の第１のクライアント信号から再生したクロックによって他のクライアント信号（クライアント信号受信部１０１２、１０１３）のアイドル信号を挿入あるいは抜去してクライアント信号間の同期を図る。
【００２１】
収容部１０３１〜１０３３は、同期した複数のクライアント信号をODUにマッピングし、続いてODUをODTUにマッピングする。マッピングの具体例としては、従来技術と同様に、クライアント信号のODUへのマッピングではBMPやAMPやGMPなどを使用し、ODUのODTUへのマッピングにはAMPやGMPなどを使用する。
【００２２】
多重部で１０４は、収容部１０３１〜１０３３からの複数のODTUを多重してODUを生成しフレーマ部１０５に出力する。
【００２３】
フレーマ部１０５は、多重部１０４から入力されたODUについてオーバーヘッド処理や誤り訂正符号を付加してOTU信号を生成する。
【００２４】
OTN信号送信部１０６は、OTU信号から光伝送信号を生成して伝送路に送出する。
【００２５】
受信側のOTN信号受信部１０７は、光伝送信号を受信して電気信号に変換する。
【００２６】
フレーマ部１０８は、OTN信号の終端や誤り訂正符号の復号を行ない、ODU信号を分離部１０９に送出する。
【００２７】
分離部１０９は、ODU信号を複数のODTU信号に分離し、復元部１１１１〜１１１３に出力する。
【００２８】
復元部１１１１〜１１１３ではODTU信号からODU信号をデマッピングし、さらにODU信号からクライアント信号をデマッピングする。ここで、PLL部１１０は第１の復元部１１１１におけるODTU信号とODU信号のクロックとマッピング情報をもとにしてクライアント信号のクロックを再生し、復元部１１１１〜１１１３にクロックを分配する。マッピング情報とは、例えばAMPをマッピングに用いる場合にはOPUオーバーヘッド内に定義されているJC（Justification Control）バイトの内容を指し、GMPを用いる場合にはCmやCnバイトの内容を指している。複数のクライアント信号はOTN装置（送信側）においてクライアント信号間で同期しているので、このように第１の復元部１１１１におけるODTU信号とODU信号のクロックを用いることが可能となる。
【００２９】
クライアント信号送信部１１４１〜１１４３は、各復元部１１１１〜１１１３から取得したクライアント信号を送信する。
【００３０】
以上のように構成することで、OTN装置（受信側）でPLL部１１０を共用することができ、従来技術と比較してPLL部の数を大きく削減することが可能になる。
【００３１】
例えば８０個のGbEをそれぞれODU0に収容し、さらに80×ODU0をODU4に多重して転送する場合には、受信側において８０個必要であったPLLを一つに削減することができる。
【００３２】
また、他の例としては１０個の10GbEをODU2eに収容し、さらに10×ODU2eをODU4に多重して転送する場合には、受信側において１０個必要であったPLLを一つに削減することができる。
【００３３】
複数のクライアント信号が混在する場合でも種別ごとに一つのクロックを共用するようにする、もしくは混在するクライアント信号のビットレート間に両者の比が単純な分数で表せるといった関係が存在する場合には、単一のクロックを分周や逓倍して変換して用いることで、やはりPLLの個数を削減することが可能である。例えば８個のGbEをそれぞれODU0に収容し、９個の10GbEをそれぞれODU2eに収容し、それらをすべてODU4に多重して転送する場合、OTN装置（受信側）において８つのGbE間でクロックを共用し、９つの10GbE間でクロックを共用することで１７個必要であったPLLを２個に削減することが可能となる。または、GbEのビットレートは1.25 Gb/s、10GbEのビットレートは10.3125 Gb/sであり、両者の間には10.3125 = 33/4 × 1.25という関係式が成り立つので、いずれか一方のクロックをもとにして、他方のクライアント信号に対しては当該クロックを変換して用いれば、一つのPLLだけでOTN装置（受信側）を実現することができる。
【００３４】
以上は、単一のODU信号に多重されたクライアント信号（上記の例では単一のODU4に多重されたGbEや10GbE）の場合を述べたが、複数のODUに収容されているクライアント間でPLLを共用することも可能である。例えば、波長多重伝送により複数のODU4信号を受信したときに、それぞれのODU4に多重されている複数のGbEや10GbE間でPLLを共用することで、PLLの削減効果がより高まる。
【００３５】
また、本方式を用いることができるクライアント信号はイーサネット（登録商標）に限らず、イーサネット（登録商標）と同様な符号化形式を使用している他のクライアント信号（例えばファイバチャネル）や符号化形式が異なっていてもクロック偏差の吸収する用途などにアイドル信号が定義されたクライアント信号にも適用可能であり、それらのクライアント信号の混在収容時にも上述の方法で対応することが可能である。
【００３６】
［第２の実施の形態］
図３は、本発明の第２の実施の形態におけるクライアント信号収容多重装置の構成を示す。同図において、図２と同一構成部分には同一符号を付し、その説明を省略する。
【００３７】
図３に示す構成は、OTN装置（送信側）において、各クライアント信号受信部１０１１〜１０１３と収容部１０３１〜１０３３との間にアイドル挿抜部１０２１〜１０２３を備え、当該アイドル挿抜部１０２１〜１０２３にそれぞれローカルクロックが入力される。
【００３８】
第１の実施の形態との違いは、OTN装置（送信側）において第１のクライアント信号からのクロックを用いるのではなく、ローカルクロックを用いる点である。各アイドル挿抜部１０２１〜１０２３は、当該クロックをもとにしてクライアント信号のアイドル信号を挿抜してクライアント信号間の同期を図る。第１の実施の形態では第１のクライアント信号が断になるとクロックが失われてしまうが、ローカルクロックを用いることでそのような事態を避けることができる。
【００３９】
［第３の実施の形態］
図４は、本発明の第３の実施の形態におけるクライアント信号収容多重装置の構成を示す。同図において、図２と同一構成部分には同一符号を付し、その説明を省略する。
【００４０】
図４に示す構成は、送信側は、図６に示す従来の技術の構成と同じであるが、受信側は、第２の復元部１１１２と第２のクライアント信号送信部１１４２の間、第３の復元部１１１３と第３のクライアント信号送信部１１４３の間にアイドル挿抜部１１５１、１１５２が設けられており、これらのアイドル挿抜部１１５１、１１５２は、PLL部１１０からクロックが入力されると、クライアント信号のアイドル信号を挿入または抜去してクライアント信号間を同期させる。
【００４１】
送信側における各クライアント信号受信部１０１１〜１０１３は、クライアント信号を受信しO/E変換する。
【００４２】
各収容部１０３１〜１０３３では複数のクライアント信号をODUに、ODUをODTUにマッピングする。
【００４３】
多重部１０４は、各収容部１０３１〜１０３３から出力された複数のODTUを多重してODUを生成した後、フレーマ部１０５に送出する。
【００４４】
フレーマ部１０５は、多重部１０４から取得したODUにオーバーヘッド処理や誤り訂正符号を付加してOTU信号を生成する。
【００４５】
OTN信号送信部１０６は、フレーマ部１０５から取得したOTU信号から光伝送信号を生成して伝送路に送出する。
【００４６】
受信側におけるOTN信号受信部１０７は、で光伝送信号を受信して電気信号に変換する。
【００４７】
フレーマ部１０８は、OTN信号を終端や誤り訂正符号の復号を行ない、ODU信号を分離部１０９に送出する。
【００４８】
分離部１０９は、ODU信号を複数のODTU信号に分離し、復元部１１１１〜１１１３に出力する。
【００４９】
各復元部１１１１〜１１１３ではODTU信号からODU信号を、さらにODU信号からクライアント信号をデマッピングする。ここで、PLL部１１０は第１の復元部１１１１におけるODTU信号とODU信号のクロックとマッピング情報をもとにしてクライアント信号のクロックを再生し、第１の復元部１１１１と他の復元部１１１２、１１１３後段に位置するアイドル挿抜部１１５１、１１５２にクロックを分配する。
【００５０】
アイドル挿抜部１１５１、１１５２は、PLL部１１０で再生されたクロックを用いて個々のクライアント信号のアイドル信号を挿抜してクライアント信号間の同期を図る。
【００５１】
その後、各クライアント信号送信部１１４１〜１１４３は、クライアント信号を送信する。
【００５２】
このような構成にすることでOTN装置（受信側）のPLL数を大きく削減することができる。
【００５３】
［第４の実施の形態］
図５は、本発明の第４の実施の形態におけるクライアント信号収容多重装置の構成を示す。同図において、図２と同一構成部分には同一符号を付し、その説明を省略する。
【００５４】
図５に示すOTN装置（受信側）の構成は、各復元部１１１１〜１１１３と各クライアント信号送信部１１４１〜１１４３との間にそれぞれアイドル挿抜部１１５１〜１１５３が設けられている点において図４に示す構成と異なる。
【００５５】
第３の実施例との違いは、OTN装置（受信側）において第１の復元部１１１１におけるODTU信号とODU信号のクロックとマッピング情報をもとにしてPLL部１１０で生成したクロックを用いるのではなく、ローカルクロックを用いる点である。アイドル挿抜部１１５１〜１１５３は、当該クロックをもとにして、復元部１１１１〜１１１３から入力されるクライアント信号のアイドル信号を挿抜してクライアント信号間の同期を図る。
【００５６】
第３の実施の形態では第１のODU信号が断になるとクロックが失われてしまうが、ローカルクロックを用いることでそのような事態を避けることができる。
【００５７】
なお、本発明は、上記の実施の形態に限定されることなく、特許請求の範囲内において種々変更・応用が可能である。
【産業上の利用可能性】
【００５８】
本発明は、クライアント信号として、イーサネット（登録商標）と同様な符号化形式を採用しているファイバチャネルなどのクライアント信号や、符号化形式が異なっていてもクロック偏差の吸収する用途などにアイドル信号が定義されたクライアント信号にも適用可能であり、それらのクライアント信号の混在収容時にも上述の方法で対応することが可能である。
【符号の説明】
【００５９】
１０１  クライアント信号受信手段、クライアント信号受信部
１０１１  第１のクライアント信号受信手段
１０１２  第２のクライアント信号受信手段
１０１３  第３のクライアント信号受信手段
１０２１  第１のアイドル挿抜手段、アイドル挿抜部
１０２２  第２のアイドル挿抜手段、アイドル挿抜部
１０２３  第３のアイドル挿抜手段、アイドル挿抜部
１０３  収容手段、収容部
１０３１  第１の収容手段
１０３２  第２の収容手段
１０３３  第３の収容手段
１０４  多重手段、多重部
１０５  第１のフレーマ手段、フレーマ部
１０６  OTN信号送信手段、OTN信号送信部
１０７  OTN信号受信手段、OTN信号受信部
１０８  第２のフレーマ手段、フレーマ部
１０９  分離手段、分離部
１１０  PLL手段、PLL部
１１１  復元手段、復元部
１１１１  第１の復元手段
１１１２  第２の復元手段
１１１３  第３の復元手段
１１４  クライアント信号送信手段、クライアント送信部
１１４１  第１のクライアント信号送信手段
１１４２  第２のクライアント信号送信手段
１１４３  第３のクライアント信号送信手段
１１５１  アイドル挿抜部
１１５２  アイドル挿抜部
１１５３  アイドル挿抜部
【図１】
0005300955.tif 000002
【図２】
0005300955.tif 000003
【図３】
0005300955.tif 000004
【図４】
0005300955.tif 000005
【図５】
0005300955.tif 000006
【図６】
0005300955.tif 000007